(57)【要約】【課題】移動体通信機器に搭載されるアンテナに関し、アンテナ素子の細幅部分が簡易的な固定状態にでき、それによって取り扱い性に優れた構成としてなるアンテナを提供することを目的とする。【解決手段】基体部２１上面に対し、面一構成の第１素子部６における細幅の先端部分６Ａを、先端部分６Ａの端部先端側が高くなる傾斜状に形成した凸状部２５上に載せて、その根元部位置を突起部２１Ａでカシメ固定することにより先端部分６Ａの根元部が固定され、その先端部分６Ａ下面が凸状部２５の面上に圧接状態になる構成とした。【選択図】図１
2009194680.tif 000002
【特許請求の範囲】
【請求項１】
良導電性の金属板からなるアンテナ素子が基体部に固定されて構成されたアンテナであって、上記アンテナ素子は、上記基体部の配置面に対して非固定状態で伸びる細幅部分を有し、その細幅部分に応じた上記基体部の配置箇所が、上記細幅部分の根元部から上流の端部先端側に向けて高くなる形状に形成された凸状部とされ、その凸状部上に上記細幅部分が配されて上記根元部の近傍位置もしくはその根元部で固定されることによって、上記細幅部分が上記凸状部上に圧接状態で配される構成としたことを特徴とするアンテナ。
【請求項２】
良導電性の金属板からなるアンテナ素子が基体部に固定されて構成されたアンテナであって、上記アンテナ素子は、上記基体部の配置面に対して非固定状態で伸び、その端部先端側が上記基体部の配置面側に向かって傾斜状態で曲げ下ろされている細幅部分を有し、上記基体部の配置箇所に上記細幅部分が配されて上記根元部の近傍位置もしくはその根元部で固定されることにより、上記細幅部分が上記基体部に圧接状態で配される構成としたことを特徴とするアンテナ。
【発明の詳細な説明】
【技術分野】
【０００１】
本発明は、携帯電話機に代表される移動体通信機器に搭載されるアンテナに関するものである。
【背景技術】
【０００２】
近年、携帯電話機等の移動体通信機器は、電波の送受信用のアンテナを機器筐体内に収納配置した形態のものが多くなってきた。
【０００３】
ここで、そのような携帯電話に代表される移動体通信機器において、筐体内に配置されて使用される従来の内蔵式のアンテナについて説明する。
【０００４】
図９は従来の内蔵式のアンテナの外観斜視図、図１０は同上面図である。
【０００５】
同図において、１は、略直方体の外形に形成された樹脂製の基体部であり、その上面や側面には、良導電性の金属板から一体形成されているアンテナ素子５が固定されている。
【０００６】
アンテナ素子５は、基体部１の平坦に構成された上面に配される細幅線状に形成された第１素子部６と、その第１素子部６から分岐され、基体部１側面に配される同じく細幅線状で形成された第２素子部７と、第１素子部６から基体部１下面に曲げ形成された接続部（図には表れず）とから構成されている。第１素子部６および第２素子部７は、送受信する電波に対応する長さのもので、かつ所定の特性が得られる形状のものに形成されている。
【０００７】
そして、アンテナ素子５の各素子部６および７には、それぞれ所定箇所に貫通孔が複数設けられており、それらの貫通孔に基体部１の上面および側面に設けられた突起部１Ａが挿通され、それら突起部１Ａの各上端がアンテナ素子５上にカシメられることによって、第１素子部６および第２素子部７は基体部１に固定されている。
【０００８】
ここに、第１素子部６および第２素子部７は、機器の設計変更などに応じてアンテナ特性の調整のために、その長さ調整も必要となることがあるため、細幅部分に形成された各開放端側の各先端部分６Ａや７Ａにおける端部先端は、先端位置から所定距離をあけて上記固定箇所を設けたものとすることが多かった。
【０００９】
以上のように従来のアンテナは構成され、機器の筐体内に収納状態で配されると共に、機器の無線回路に繋がる導電バネ部材に上記接続部を電気的に接続させて搭載され、当該アンテナを介して対応する電波の送受信が可能になされるものであった。
【００１０】
なお、この出願の発明に関連する先行技術文献情報としては、例えば、特許文献１が知られている。
【特許文献１】特開２００６−２１１６３４号公報
【発明の開示】
【発明が解決しようとする課題】
【００１１】
アンテナは、搭載される機器の各部品の配置状態などにも特性面で影響されやすく、通常、それら各部品の配置状態などが決定した後で、対応する電波に整合するように微調整を要望されることも多く、それを可能とするように、従来のアンテナは、各素子部６および７の先端部分６Ａおよび７Ａを基体部１に非固定状態で配するようにしていた。そのため、アンテナの製造工程や機器への搭載時には、細幅で固定されていない各先端部分６Ａおよび７Ａに指などを引っ掛けないようにして当該アンテナを取り扱わなければならず、取り扱い性の向上が要望されることも多かった。
【００１２】
本発明は、このような従来の課題を解決するものであり、製造工数などをかけずにアンテナ素子の開放端側の先端部分などの固定されていない細幅部分を簡易的な固定状態にでき、それによって取り扱い性に優れた構成としてなるアンテナを提供することを目的とする。
【課題を解決するための手段】
【００１３】
上記目的を達成するために本発明は、以下の構成を有するものである。
【００１４】
本発明の請求項１に記載の発明は、良導電性の金属板からなるアンテナ素子が基体部に固定されて構成されたアンテナであって、上記アンテナ素子は、上記基体部の配置面に対して非固定状態で伸びる細幅部分を有し、その細幅部分に応じた上記基体部の配置箇所が、上記細幅部分の根元部から上流の端部先端側に向けて高くなる形状に形成された凸状部とされ、その凸状部上に上記細幅部分が配されて上記根元部の近傍位置もしくはその根元部で固定されることによって、上記細幅部分が上記凸状部上に圧接状態で配される構成としたことを特徴とするアンテナとしたものである。当該構成であれば、基体部に設けた凸状部上にアンテナ素子における細幅部分を合わせ込んで組み合わせ、その根元部の近傍位置もしくは上記根元部を固定状態にするのみで、製造工数が少なく細幅部分が簡易的な固定状態になるものに構成でき、細幅部分の端部先端の浮きなどが防止された取り扱い性に優れたアンテナとして安価に構成できるという作用を有する。
【００１５】
請求項２に記載の発明は、良導電性の金属板からなるアンテナ素子が基体部に固定されて構成されたアンテナであって、上記アンテナ素子は、上記基体部の配置面に対して非固定状態で伸び、その端部先端側が上記基体部の配置面側に向かって傾斜状態で曲げ下ろされている細幅部分を有し、上記基体部の配置箇所に上記細幅部分が配されて上記根元部の近傍位置もしくはその根元部で固定されることにより、上記細幅部分が上記基体部に圧接状態で配される構成としたことを特徴とするアンテナとしたものである。当該構成であっても、上記細幅部分における根元部の近傍位置もしくはその根元部で固定状態にするのみで、上記細幅部分が上記基体部に圧接された簡易的な固定状態のものに構成でき、製造工数も殆ど増加させることなく、取り扱い性に優れたアンテナを提供することができるという作用を有する。
【発明の効果】
【００１６】
以上のように本発明によれば、アンテナ素子において、基体部の配置面に対して非固定状態で配される細幅部分が簡易的な固定状態とされた取り扱い性に優れるアンテナを提供できるという有利な効果が得られる。
【発明を実施するための最良の形態】
【００１７】
以下、本発明による実施の形態について、図１〜図８を用いて説明する。なお、従来と同一構成部分には同一符号を付して詳細説明は省略する。
【００１８】
（実施の形態１）
図１は本発明の第１の実施の形態によるアンテナの外観斜視図、図２は同上面図、図３は同要部である第１素子部の先端部分配置箇所の断面図、図４は同第１素子部を基体部上に組み込む製造過程を示す断面図である。
【００１９】
同図において、２１は、略直方体状に形成された樹脂製の基体部で、その上面や側面には、良導電性の金属板から一体形成されたアンテナ素子５が固定されている。当該実施の形態によるものでは、従来と同じアンテナ素子５を用いており、その第１素子部６や第２素子部７は、それぞれに設けられた貫通孔に基体部２１の上面および側面に形成された突起部２１Ａが挿通され、それら各上端がアンテナ素子５上にカシメられることによって、第１素子部６は基体部２１の上面に、また第２素子部７は基体部２１の側面にそれぞれ固定されている。また、第１素子部６から曲げ形成された接続部（図には表れず）は基体部２１下面に沿って配されていることなどは従来と同じである。
【００２０】
ここに、当該実施の形態によるアンテナは、アンテナ素子５の基体部２１の上面に配された第１素子部６の固定状態が異なっている。
【００２１】
すなわち、各図からも判るように、第１素子部６が配される基体部２１上面は、細幅部分としてなる開放端側の先端部分６Ａの配置箇所以外は、水平で平坦な配置面に形成され、そして上記細幅部分としてなる開放端側の先端部分６Ａを配する上面箇所は、上記平坦な配置面から上方に突出する凸状部２５に形成したものとしており、先端部分６Ａは、凸状部２５上においてその根元部から端部先端側にかけて上方に反り上がって凸状部２５の面上に圧接状態となった簡易的な固定状態になっている。
【００２２】
ここに、凸状部２５としては、先端部分６Ａの根元部から上流の端部先端側に向かって高くなり、しかも、その先端部分６Ａの端部先端の配置箇所での高さ位置が、根元部の配置高さよりも高い位置になるものとして形成している。なお、その端部先端側が持ち上がっていく凸状部２５の側面視形状は、定角度勾配の傾斜状のもの、端部先端側に向かって角度が急になっていく傾斜状のもの、または中央が窪む方向での多角形状で設けられたものなどであればよい。なお、その端部先端に応じた箇所の高さ寸法としては、第１素子部６における先端部分６Ａの板厚分またはその２〜３倍程度で高くした構成とされていればよい。なお、図１〜図４は、定角度勾配の傾斜状で形成したものを図示している。
【００２３】
ここで、上記状態のものに組み込む方法について説明する。
【００２４】
まず、基体部２１の各突起部２１Ａに、アンテナ素子５の各貫通孔を挿通させて、アンテナ素子５を基体部２１に組み合わせる。このとき、第１素子部６の他の部分と面一で形成された先端部分６Ａを、図４に示すように、凸状部２５上に位置合わせして載せるようにする。ここに、第１素子部６の貫通孔のうち、一つの貫通孔６Ｂは、先端部分６Ａの根元部またはその近傍位置に設けられており、また、凸状部２５は、上述したように上記先端部分６Ａの端部先端側にあたる上流側が、カシメ固定される高さ位置よりも高くなる傾いた面で形成されているため、カシメ前の状態では上記先端部分６Ａは、先端部分６Ａの端部先端がその傾斜面上に載りカシメ固定される根元部側に向けて低くなる傾斜状態で配されることとなる。
【００２５】
その状態で、各突起部２１Ａを上方からカシメ固定して第１素子部６を固定させる。これにより、第１素子部６は、先端部分６Ａの根元部またはその近傍位置に設けられている貫通孔６Ｂの箇所を含めて同一高さでカシメ固定されるが、先端部分６Ａにおいては、上記固定高さ位置よりも高い位置となる凸状部２５上に載せられている端部先端が凸状部２５の面上を若干ずり下がりつつ、上記カシメ固定箇所から先端にかけて上方に反り上がるようになって、端部先端を含む先端部分６Ａ下面が上記傾斜面上に圧接された簡易的な固定状態となる。
【００２６】
このように、当該構成部分を有するものであれば、製造工数が少なく細幅部分としてなる先端部分６Ａの端部先端の浮きが防止されたものに容易に製造でき、取り扱い性に優れるアンテナとして安価に実現することができる。
【００２７】
なお、上記には第１素子部６の先端部分６Ａが簡易的に固定状態となるものを例として詳細説明したが、第２素子部７の先端部分７Ａの配置箇所にも同様の構成を適用してもよく、さらにはアンテナ素子の開放端となる側の先端部分以外の箇所、つまり、基体部の配置面に対して非固定状態で伸びる細幅部分の箇所に上記構成思想を適用することも可能である。なお、凸状部上に細幅部分下面を圧接状態として簡易的な固定状態とする当該構成のものにおいては、その箇所を取り囲む壁部２１Ｂを設けたものとするとさらに好ましい。
【００２８】
以上のように、当該実施の形態によれば、製造工数などをかけることなく、従来同様にアンテナ素子５を基体部２１にカシメ固定するのみで、先端部分６Ａが簡易的な固定状態としてなるものに構成できるため、取り扱い時に先端部分６Ａに指などを引っ掛けることが少なく取り扱い性に優れたアンテナとして安価に提供することができる。
【００２９】
（実施の形態２）
図５は本発明の第２の実施の形態によるアンテナの外観斜視図、図６は同上面図、図７は同要部である第１素子部の先端部分配置箇所の断面図、図８は同第１素子部を基体部上に組み込む製造過程を示す断面図である。
【００３０】
実施の形態２によるものは、アンテナ素子５の第１素子部６において、その先端部分６Ａの端部先端側が基体部４１の配置面側に向かって曲げ部３１を介して傾斜状態で曲げ下ろされている形状のもの（図８参照）を用いて構成している。なお、アンテナ素子５の他の構成部分は実施の形態１などと同じであるため、同一符号を付している。そして、その先端部分６Ａの根元部と曲げ下ろされた端部先端との間の高さ寸法の差は、実施の形態１の場合と同様の板厚分またはその２〜３倍程度の差がある構成としている。
【００３１】
一方、樹脂製の基体部４１は、各図に示したように、略直方体状に形成され、上記アンテナ素子５の第１素子部６が配される上面側の配置面としては、所定箇所に突起部４１Ａを有する水平で平坦な配置面に形成されていると共に、先端部分６Ａに対応する箇所は、その平坦面から窪んだ凹状部４５を有するものとしている。
【００３２】
その凹状部４５としては、第１素子部６のカシメ固定高さ位置となる平坦な配置面に対し、上記先端部分６Ａの根元部から端部先端側にあたる方向に向かって深くなる傾斜状で、しかも先端部分６Ａの端部先端に対応する位置の深さが、カシメ前における先端部分６Ａの根元部と曲げ下ろされた端部先端との間の高さ寸法の差よりも浅い深さのものに形成したものとしている。
【００３３】
そして、上記アンテナ素子５は、実施の形態１のものと同様に、基体部４１上面に第１素子部６が、また基体部４１側面に第２素子部７が配されて、それぞれ各突起部４１Ａのカシメ固定で基体部４１に固定されている。なお、第１素子部６の貫通孔のうち、一つの貫通孔６Ｂが先端部分６Ａの根元部またはその近傍位置に設けられて固定状態とされていることも実施の形態１と同じである。
【００３４】
そして、当該実施の形態によるものでは、基体部４１上面に配された第１素子部６の先端部分６Ａにおいて、曲げ部３１によって曲げ下ろされている下面部分が、凹状部４５の内底面に圧接状態で配されたものとなっている。
【００３５】
ここで、上記状態のものに組み込む方法を説明すると、まず、基体部４１の各突起部４１Ａに、アンテナ素子５の各貫通孔を挿通させてアンテナ素子５を基体部４１に組み合わせる。このとき、第１素子部６を、図８に示すように、その先端部分６Ａが凹状部４５内に位置するように対応させて組み合わせる。これにより、上記先端部分６Ａは、曲げ部３１を介して配置面側に向かって斜め下方に曲げ下ろされた端部先端が凹状部４５の内底面に接し、その根元部は、基体部４１上面の配置面から若干浮いた状態となる。その状態で、各突起部４１Ａを上方からカシメ固定して第１素子部６を固定する。これにより、第１素子部６は、先端部分６Ａの根元部またはその近傍位置に設けられている貫通孔６Ｂの箇所を含めて同一高さでカシメ固定されるが、上記先端部分６Ａにおいては、上記貫通孔６Ｂ箇所のカシメ固定に伴って先端部分６Ａの根元部が配置面となる基体部４１上面に近づいていって、その根元部の下方移動に伴って先端部分６Ａの端部先端が凹状部４５の内底面上をその傾斜面に沿ってすべりつつ、上記端部先端下面を含む先端部分６Ａ下面が圧接状態となる。
【００３６】
なお、上記凹状部４５を用いる当該構成では、第１素子部６の固定状態において、曲げ部３１が第１素子部６の固定高さ位置より大きく上方に突出しない構成にできるため好ましい。なお、凹状部４５は必ずしも設ける必要はなく、第１素子部６の配置面としてなる基体部４１の上面そのものを用いて同様の構成とすることも可能である。
【００３７】
なお、上記には第１素子部６の先端部分６Ａにおいて曲げ部３１を一つ設けたものを説明したが、二段以上の曲げ加工を行ったものなどとしてもよい。また、アンテナ素子５において、第２素子部７の先端部分７Ａに同様の構成を適用してもよく、さらには、当該構成の適用は、先端部分６Ａや７Ａ以外に、基体部の配置面に対して非固定状態で伸びる細幅部分の全般に適用可能であることは実施の形態１によるものと同じである。
【００３８】
以上のように当該実施の形態２によるアンテナにおいても、大幅に工数を増加させることなく先端部分６Ａが簡易的な固定状態としてなるものに構成でき、これにより取り扱い性に優れたアンテナを安価に提供することができる。
【００３９】
なお、上述した実施の形態１および２によるものは、アンテナ素子５を基体部２１、４１にカシメ固定したもので説明したが、その固定方法はカシメ固定のみに限られることはない。また、基体部２１、４１は、樹脂以外の材質のもので形成されていてもよい。
【産業上の利用可能性】
【００４０】
本発明によるアンテナは、アンテナ素子において、基体部の配置面に対して非固定状態で配される細幅部分が、簡易的な固定状態としてなるものに実現できるという有利な効果を有し、移動体通信機器等に有用である。
【図面の簡単な説明】
【００４１】
【図１】本発明の第１の実施の形態によるアンテナの外観斜視図
【図２】同上面図
【図３】同要部である第１素子部の先端部分配置箇所の断面図
【図４】同第１素子部を基体部上に組み込む製造過程を示す断面図
【図５】本発明の第２の実施の形態によるアンテナの外観斜視図
【図６】同上面図
【図７】同要部である第１素子部の先端部分配置箇所の断面図
【図８】同第１素子部を基体部上に組み込む製造過程を示す断面図
【図９】従来の内蔵式のアンテナの外観斜視図
【図１０】同上面図
【符号の説明】
【００４２】
５  アンテナ素子
６  第１素子部
６Ａ  第１素子部の先端部分
６Ｂ  貫通孔
７  第２素子部
７Ａ  第２素子部の先端部分
２１、４１  基体部
２１Ａ、４１Ａ  突起部
２１Ｂ  壁部
２５  凸状部
３１  曲げ部
４５  凹状部
【図１】
2009194680.tif 000003
【図２】
2009194680.tif 000004
【図３】
2009194680.tif 000005
【図４】
2009194680.tif 000006
【図５】
2009194680.tif 000007
【図６】
2009194680.tif 000008
【図７】
2009194680.tif 000009
【図８】
2009194680.tif 000010
【図９】
2009194680.tif 000011
【図１０】
2009194680.tif 000012